(57)【要約】【課題】  植林発破用火薬類（緑化用の爆薬）を用いて、発破によって有効な植穴を掘り，植樹して造林，造園の効果を上げる緑化方法及び発破作業の後に残るすり鉢状岩盤植木鉢を提供する。【解決手段】  窒素、リン酸、カリを含む緑化用の爆薬若しくは通常の爆薬を、岩盤や未開拓の荒地に発破孔を掘って仕掛け、爆発させることにより、岩盤や未開拓の荒地にすり鉢状の穴を設け、爆発で粉砕された小石、ガレキ、土塊、土壌を鉢上の穴に戻し、植物を植えることを特徴とする緑化方法及びすり鉢状岩盤植木鉢。【選択図】図１
2008178371.tif 000002
【特許請求の範囲】
【請求項１】
窒素、リン酸、カリを含む緑化用の爆薬若しくは通常の爆薬を、岩盤や未開拓の荒地に発破孔を掘って仕掛け、爆発させることにより、岩盤や未開拓の荒地にすり鉢状の穴を設け、爆発で粉砕された小石、ガレキ、土塊、土壌を鉢上の穴に戻し、植物を植えることを特徴とする緑化方法。
【請求項２】
発破孔に爆薬と共に窒素、リン酸、カリからなる肥料を置いておく請求項１に記載した緑化方法。
【請求項３】
緑化用の爆薬の成分を調整することによって、肥料成分を変化させる請求項１に記載した緑化方法。
【請求項４】
発破孔を一定間隔で、平面状に数多く作ることにより、大規模の植林を行うことを特徴とする請求項１に記載した緑化方法。
【請求項５】
ブラスティングマットで発破孔の周囲を覆い遠隔操作で爆発させる請求項１ないし請求項４のいずれかひとつに記載した肥料を緑化方法。
【請求項６】
窒素、リン酸、カリを含む緑化用の爆薬若しくは通常の爆薬を、岩盤や未開拓の荒地に穴を掘って仕掛け、爆発させることにより、岩盤や未開拓の荒地にすり鉢上の穴を設け、爆発で粉砕された小石、ガレキ、土塊、土壌を鉢上の穴に戻し、肥料を混合した後、植物を植えることを特徴とする岩盤植木鉢。
【発明の詳細な説明】
【技術分野】
【０００１】
本発明は、岩山や荒地や荒野を緑化する緑化方法及び岩盤植木鉢に関する。
【０００２】
本発明は、環境改善のための土木技術、農地開拓のための肥料散布技術、に関し、さらに詳しくは、開墾用の爆薬を用いて肥料成分となる窒素、燐酸、カリを効果的に散布し、植物を育成させる技術に関する。
【背景技術】
【０００３】
従来、発破作業した後の残土や小石や岩石の類の中には、窒素肥料となる成分が多く含まれていることが、解っている。また、砂漠の緑地化では，機械による粉砕よりも爆薬を用いた発破が効率的であることが知られており（特許文献１）ここでは、爆薬を用いてハードパンを破砕し、深さ５０ｃｍ以上で、横方向に幅０．５ｍｍ以上のクラックを５０本以上有する穴を形成することを特徴とする乾燥地植林のための土地改良方法が開示されている。
【０００４】
しかし、発破作業した後の残土や小石や岩石の類を用いて緑化させるということについては、まだ十分に目が向けられていないというのが実情である。
【特許文献１】特開２００４−３０５０９８号公報
【発明の開示】
【発明が解決しようとする課題】
【０００５】
本発明は、植林発破用火薬類（緑化用の爆薬）を用いて、発破によって有効な植穴を掘り，植樹して造林，造園の効果を上げることにより、
・岩石砂漠の効率的な緑地化
・鉱山採鉱後の荒廃地の効率的な緑地化
・疲弊した果樹園土壌などの効率的な活性化
を行う緑化方法及び発破作業の後に残るすり鉢状岩盤植木鉢を提供する。      
【課題を解決するための手段】
【０００６】
上記目的を達成するために本発明は、緑化用の爆薬若しくは通常の爆薬を用いて、発破作業を行い、岩盤や未開拓の荒地にすり鉢状の穴を設け、爆発で粉砕された小石、ガレキ、土塊、土壌中に、肥料を効果的に散布し、植物を植え、人工的若しくは自然的に水を散布し、緑化する方法、及び岩盤植木鉢を提供する。
すなわち、本発明は、窒素、リン酸、カリを含む緑化用の爆薬若しくは通常の爆薬を、岩盤や未開拓の荒地に発破孔を掘って仕掛け、爆発させることにより、岩盤や未開拓の荒地にすり鉢状の穴を設け、爆発で粉砕された小石、ガレキ、土塊、土壌を鉢状の穴に戻し、植物を植えることを特徴とする緑化方法である。
また、本発明は、発破孔に爆薬と共に窒素、リン酸、カリからなる肥料を置いておくことができる。
さらに本発明は、爆薬の成分を調整することによって、肥料成分を変化させることができる。
また本発明は、発破孔を一定間隔で、平面状に数多く作ることにより、大規模の植林を行うことができる。
さらに本発明は、ブラスティングマットで発破孔の周囲を覆い遠隔操作で爆発させることができる。ここでブラスティングマットは、高密度ポリエチレン製の市販のものを用いることが出来る。
さらにまた、本発明は、窒素、リン酸、カリを含む緑化用の爆薬若しくは通常の爆薬を、岩盤や未開拓の荒地に発破孔を掘って仕掛け、爆発させることにより、岩盤や未開拓の荒地にすり鉢状の穴を設け、爆発で粉砕された小石、ガレキ、土塊、土壌を鉢状の穴に戻し、植物を植えることを特徴とする岩盤植木鉢である。
【発明の効果】
【０００７】
本発明の緑化方法は、肥料成分を効率的に散布することができれ、低コストでの緑地化が期待できる。また、本発明の緑化方法を鉱山採鉱後の荒廃地で行えば、通常荒廃地全体に土盛りを行って植林が行うことなく、部分的な発破で植穴を掘り、かつ、土盛りも肥料も不要となれば効率的な荒廃地の緑地化が可能である。
さらに本発明の岩盤植木鉢、岩山でも行えるので、岩山の緑化が可能である。
【発明を実施するための最良の形態】
【０００８】
本発明で用いる爆薬とは、火薬に硝酸アンモニウムを用いたもので、ANFO爆薬として知られている。この爆薬の主成分は硝酸アンモニウムであり、ANFO爆薬を用いる場合は，その他の種類の肥料成分(リン，カリウム)を発破用の孔に爆薬とは別に入れる。
ANFO爆薬を用いる場合は，その他の種類の肥料成分(リン，カリウム)を発破用の孔に爆薬とは別に入れて発破を行った場合、期待されるような肥料成分が発破後の土壌に相当する粒度の粉砕物から検出されることを確認している。
一方、本発明で用いる緑化用爆薬とは、発破後に有効な量の肥料成分(リン，カリウム)を残すために硝酸アンモニウムを主成分とする爆薬(ANFO)に事前にこれらの肥料成分を相当割合混合することにより作ることができる。
ただし，これは混合する肥料成分(リン，カリウム)の割合により、爆発が起こりにくい場合があるが、爆発しやすいように第3の成分，鋭感剤と呼ばれる成分を添加して，元の硝酸アンモニウムを主成分とする爆薬の爆発しやすさをコントロールしてやることができる。鋭感剤としては、アルミニウムなどが知られている。
【０００９】
本発明で用いる窒素、リン酸、カリとしては、硫酸アンモニウム、硝酸アンモニウム、リン酸カリウム，リン酸アンモニウム，硝酸カリウム，硫酸カリウム，等を挙げることができる。
発破によって岩石を粉砕し、一般の土壌に近い粒度分布を実現した際に、破砕後の土壌中に含有されるアンモニウムイオン、硝酸イオン、亜硝酸イオンを計測し、残留することを確認した。また，その残留量を爆薬の爆発条件でコントロールできることが明らかになっている。爆薬中の成分が残留するのであれば、他の肥料成分を爆薬に混入させたエネルギー物質の爆薬によって，必要な成分を必要な量だけ散布することができる。
爆発で粉砕された小石、ガレキ、土塊、土壌の粒子の分布は、粒径２ｍｍ以下のものが、８０ｗｔ％以上を占めることが望ましい。
また、岩石としては、火成岩、水成岩、変成岩どれでも良いが、砂岩のような水成岩が望ましい。
本発明においては、爆薬の成分が発破時に分解して水分を生成し、土壌に水分を与える。残留した爆薬成分(主に硝酸アンモニウム)、もしくは、爆薬に混入させた給水成分(吸水性高分子の混入など)が、発破後に空気中の水分を吸収し、土壌に水分を与えるので、乾燥した土地にも適用することできる。
【実施例１】
【００１０】
本発明について実施例を用いてさらに詳しく説明するが、本発明はこれら実施例に限定されるものではない。
図１に示すように、砂岩の岩盤に穿孔機で直径64mm、深さ50cmの発破孔をあけ、肥料成分となるリン酸アンモニウムと硝酸カリウムを入れ、その上からANFO爆薬を入れた。古畳で発破孔を覆い、その上にブラスティングマットを敷き、さらに防爆シートで覆った後、起爆した。
直径約1m、深さ約50cmの円錐形のすり鉢状クレータを生成し、底には水がすぐに抜ける程度に亀裂が生成していた。爆発で飛び散った爆発で粉砕された小石、ガレキ、土塊、土壌を鉢状の穴に戻し、回収した土壌からは，窒素成分以外にリン酸イオン，カリウムイオンが検出された。
ポプラの苗を植え、水を遣った。
【実施例２】
【００１１】
図１に示すように、砂岩の岩盤に穿孔機で直径96mm、深さ80cmの発破孔をあけ、肥料成分となるリン酸アンモニウムと硝酸カリウムを入れ、その上から実施例１の4倍量のANFO爆薬を入れた。古畳で発破孔を覆い、その上にブラスティングマットを敷き、さらに防爆シートで覆った後、起爆した。
直径約1.6m、深さ約80cmの円錐形のすり鉢状クレータを生成し、底には水がすぐに抜ける程度に亀裂が生成していた。爆発で飛び散った爆発で粉砕された小石、ガレキ、土塊、土壌を鉢状の穴に戻し、回収した土壌からは，窒素成分以外にリン酸イオン，カリウムイオンが検出された。
柳の苗を植え、水を遣った。
【実施例３】
【００１２】
図１に示すように、砂岩の岩盤に穿孔機で直径128mm、深さ100cmの発破孔をあけ、肥料成分となるリン酸アンモニウムと硝酸カリウムを入れ、その上から実施例１の8倍量のANFO爆薬を入れた。古畳で発破孔を覆い、その上にブラスティングマットを敷き、さらに防爆シートで覆った後、起爆した。
直径約2m、深さ約100cmの円錐形のすり鉢状クレータを生成し、底には水がすぐに抜ける程度に亀裂が生成していた。爆発で飛び散った爆発で粉砕された小石、ガレキ、土塊、土壌を鉢状の穴に戻し、回収した土壌からは，窒素成分以外にリン酸イオン，カリウムイオンが検出された。
ポプラの苗を植え、水を遣った。
【産業上の利用可能性】
【００１３】
本発明の緑化方法は、廃坑や荒野に植物を植えて、緑化するのに適したもので、産業上の利用価値が高いものである。
【図面の簡単な説明】
【００１４】
【図１】本発明の概略図
【図１】
2008178371.tif 000003